(57)【要約】【課題】カム機構によりワイパーの糊付けドラムへの当接および乖離を行う簡素な構成を維持するとともに、ワイパーと糊付けドラムの表面との乖離量の調整が簡単にできるようにすること。【解決手段】糊容器３内の糊を付着して回転する糊付けドラム５と、回動軸９に固着されたワイパー６と、前記回動軸９を回動するカム１１と有し、カム１１の回転による前記回動軸９の回動で前記ワイパーを糊付けドラム５の表面に所定の期間当接および乖離し、乖離したときの糊付けドラム５の表面に付着する糊を、糊付けドラム５の上方を移動する本身の背面に塗着する製本機の糊付け装置において、前記回動軸９の片端にアーム２３を固定し、このアーム２３に当接して回動軸９の回動を停止する位置移動可能のストッパ２５を設け、前記ストッパ２５を、本身に塗着する糊の厚みに対応して予めメモリに設定した設定値に位置決めする。【選択図】  図１
2010284805.tif 000002
【特許請求の範囲】
【請求項１】
本身の背面に塗着する糊を貯留する糊容器と、前記糊容器内の糊を付着して回転する糊付けドラムと、前記糊容器に装着された回動軸と、前記回動軸に固着され該回動軸の回動により前記糊付けドラムの表面に当接および乖離するワイパーと、前記回動軸を回動し前記ワイパーを前記糊付けドラムの表面に、所定の期間当接および乖離するカム機構とを有し、前記ワイパーの前記糊付けドラムの表面からの乖離により前記糊付けドラムに付着した糊を、前記糊付けドラムの上方を移動する本身の背面に塗着してなる製本機における糊付け装置において、前記ワイパーの前記糊付けドラムの表面からの乖離量を制限する位置移動可能のストッパと、本身の背面に塗着する糊の厚みに対応し前記ワイパーの前記糊付けドラムの表面からの乖離量に対応する前記ストッパの位置を設定する設定値を格納する設定値メモリを有し、製本の際、製本する本身の背面に塗着する厚みに対応する前記設定値を前記メモリから読み出し、読み出した設定値に対応する位置に前記ストッパを位置決めするストッパ位置決め装置とを設けたことを特徴とする製本機における糊付け装置。
【請求項２】
本身の背面に塗着する糊を貯留する糊容器と、前記糊容器内の糊を付着して回転する糊付けドラムと、前記糊容器に装着された回動軸と、前記回動軸に固着され該回動軸の回動により前記糊付けドラムの表面に当接および乖離するワイパーと、前記回動軸を回動し前記ワイパーを前記糊付けドラムの表面に、所定の期間当接および乖離するカム機構とを有し、前記ワイパーの前記糊付けドラムの表面からの乖離により前記糊付けドラムに付着した糊を、前記糊付けドラムの上方を移動する本身の背面に塗着してなる製本機における糊付け装置において、前記回動軸の回動を制限する、モータの駆動で位置移動するストッパと、前記ワイパーの前記糊付けドラムの表面からの位置を検出する位置検出器と、本身の背面に塗着する糊の厚みに対応する前記ストッパの位置を設定した設定値メモリを有し、前記メモリに設定した設定値と前記位置検出器の検出信号とを比較し、その偏差分前記モータを駆動して前記ストッパの位置を前記設定値の位置に決めるストッパ位置決め装置とを設けたことを特徴とする製本機における糊付け装置。
【請求項３】
前記ストッパをステッピングモータに連結し、前記ステッピングモータの回転で前記ストッパを位置移動させる請求項１又は請求項２に記載の製本機における糊付け装置。
【請求項４】
前記回動軸に、ストッパに当接して前記回動軸の回動を停止するストッパアームを固定したことを特徴とする請求項１又は請求項２又は請求項３に記載の製本機における糊付け装置。
【発明の詳細な説明】
【技術分野】
【０００１】
本発明は、製本機における糊付け装置、特に本身の背面に塗着する糊の厚み調整に関するものである。
【背景技術】
【０００２】
クランパに本身を保持固定して移動し、その移動過程で本身の背面を切削して揃え、揃えた背面に糊付けし、糊付けした背面に表紙を貼り付けて製本する製本機は周知である。図６は、こような製本機における糊付け装置の一例を概略的に示すもので、この図６において、１は製本する本身、２は製本する本身を挟持して移動するクランパ、３は糊容器、４は糊（加熱溶融したホットメルト接着剤）、５は糊付けドラム、６はワイパー、７は引きバネ、８は糊付けドラム５に付着する糊の厚みを調整する調整ねじ、９はワイパー６を固定した回動軸、１０は回動軸９に固定したレバー、１１はカム、１２はレバー１０の先端に取付けたカムフォロア、１３は一端をレバー１０に、他端を回動軸９のバネ受け９ａに当接したコイルバネ、１４は機台、１５は送りねじ、１６はナット、１７はハンドルである。
【０００３】
以上のように構成された糊付け装置では、糊付けに際し糊付けドラム５はクランパ１の移動方向と同方向に回転している。また、クランパ１の移動と同期してカム１１は回転している。カムフォロア１２がカム１１の山部１１ａに当接するとレバー１０が揺動し、この揺動で回動軸９が回動し、この回動でワイパー６の先端が糊付けドラム５の表面に当接し、これにより糊付けドラム５に付着した糊は掻き落とされる。この状態はカムフォロア１２がカム１１の山部１１ａに当接している間これが維持される。
【０００４】
クランパ２に挟持した本身１が糊付けドラム５上に接近すると、カムフォロア１２がカム１１の谷部１１ｂに当接する。カムフォロア１２がカム１１の谷部１１ｂに当接するとレバー１０が揺動し、この揺動で回動軸９が回動し、この回動でワイパー６の先端が糊付けドラム５の表面から乖離する。これにより糊を付着したまま糊ドラム５は回転し、クランパ２に挟持した本身１の背面にその背面の先端部所定の位置から糊ドラム５に付着した糊を塗布する。この塗布は本身１の背面の後端部の所定の位置まで継続される。その塗布が終わるとカムフォロア１２がカム１１の山部１１ａに当接し糊付けドラム５に付着した糊はワイパー６で掻き落とされる。
【０００５】
ところで、本身１の背面に塗着させる糊は、たとえば本身１の厚みが厚い場合には厚く、本身１の厚みが薄い場合には薄くするなど、背面に塗着させる糊の厚みを調整する必要がある。この調整は、ハンドル１７を操作して送りねじ１５を回わし機台１４と容器３との距離を、本身１の背面に塗着する糊の厚みを厚くする場合には小さく、薄くする場合には大きく、すなわち本身１の背面とその背面に対向するドラム５の表面との距離を厚くする場合には大きく、薄くする場合には小さくする。一方、調整ねじ８を回して糊付けドラム５に付着する糊の厚みを、本身１の背面に塗着する糊の厚みを厚くする場合には大きく、薄くする場合には小さくする。この調整により本身１の背面から大きく食み出すことなく適切な厚みの糊を塗着することができる。なお、回動軸９の回動をモータに連結し、ワイパー６の糊付けドラム５への当接および乖離並びにその乖離量の調整をそのモータの回転で行う場合もある。
【先行技術文献】
【特許文献】
【０００６】
【特許文献１】特開２００３−２９１５５９号公報
【発明の概要】
【発明が解決しようとする課題】
【０００７】
しかし、カム機構によりワイパーの糊付けドラムへの当接および乖離を行い、糊付けドラムに付着する糊の厚みを調整ねじの手回しで調整する上記従来の糊付け装置では、構造的に簡素でありワイパーの糊付けドラムへの当接および乖離のタイミングの設定やドラムに付着する糊の厚みそのものの設定はしやすいが、特に本身の背面に塗着する糊の厚みが頻繁に変更されるような場合、その変更の都度、作業者が過去の糊の厚みデータなどの記憶あるいはメモに基づいてその調整ねじを手回しなければならず、その作業がきわめて面倒であるとともに、過去のデータの再現性に劣るという課題があった。
【０００８】
発明が解決しようとする課題は、カム機構によりワイパーの糊付けドラムへの当接および乖離を行う簡素な構成を維持するとともに、ワイパーと糊付けドラムの表面との乖離量、つまり糊付けドラムの表面に付着する糊の厚みの調整が簡単にできるようにし、斯かる課題を解消する点にある。
【課題を解決するための手段】
【０００９】
上記の課題を解決するために、本発明は、本身の背面に塗着する糊を貯留する糊容器と、前記糊容器内の糊を付着して回転する糊付けドラムと、前記糊容器に装着された回動軸と、前記回動軸に固着され該回動軸の回動により前記糊付けドラムの表面に当接および乖離するワイパーと、前記回動軸を回動し前記ワイパーを前記糊付けドラムの表面に、所定の期間当接および乖離するカム機構とを有し、前記ワイパーの前記糊付けドラムの表面からの乖離により前記糊付けドラムに付着した糊を、前記糊付けドラムの上方を移動する本身の背面に塗着してなる製本機における糊付け装置において、前記ワイパーの前記糊付けドラムの表面からの乖離量を制限する位置移動可能のストッパと、本身の背面に塗着する糊の厚みに対応し前記ワイパーの前記糊付けドラムの表面からの乖離量に対応する前記ストッパの位置を設定する設定値を格納する設定値メモリを有し、製本の際、製本する本身の背面に塗着する厚みに対応する前記設定値を前記メモリから読み出し、読み出した設定値に対応する位置に前記ストッパを位置決めするストッパ位置決め装置とを設けたことを特徴とする。
【発明の効果】
【００１０】
本発明は、本身の背面に適切な厚みの糊が塗着されたときの糊付けドラムの表面に付着した糊の厚みデータを、本身の背面に塗着する糊の厚みに対応して設定値メモリに格納して置き、製本時、製本する本身に対応する糊の厚みをその設定値メモリから読み出して設定するだけで、その本身の背面に適切な厚みの糊を塗着することができ、糊付けドラムの表面に付着した糊の厚みを設定する作業者の負担を大幅に低減することができる。
【図面の簡単な説明】
【００１１】
【図１】本発明の実施例における製本機における糊付け装置の斜視図である。
【図２】図１に示す位置決め機構の拡大側面図である。
【図３】図１に示す位置決め機構の動作説明図である。
【図４】図１に示す位置決め機構の動作説明図である。
【図５】本発明の実施例における位置決め装置のブロック図である。
【図６】従来の図１に示す位置決め機構の拡大側面図である。
【実施例】
【００１２】
本発明の実施例に係る製本機における糊付け装置について、図１〜図５を参照して説明する。なお、図６に示す従来の糊付け装置と同一または対応する部分には同一の符号を付し、その部分の詳細な説明は省略する。
【００１３】
図１において、２１はカム機構、２２はストッパ位置決め機構である。カム機構２１は図６に示す従来の糊付け装置におけるカム機構と同様に構成されており、カムフォロア１２がカム１１の山部１１ａに当接するとレバー１０が揺動し、この揺動で回動軸９が回動し、この回動でワイパー６の先端が糊付けドラム５の表面に当接し、これにより糊付けドラム５に付着した糊は掻き落とされる。また、カムフォロア１２がカム１１の谷部１１ｂに当接すると、カムフォロア１２がカム１１の谷部１１ｂに当接するとレバー１０が揺動し、この揺動で回動軸９が回動し、この回動でワイパー６の先端が糊付けドラム５の表面から乖離する。この乖離により糊を付着したまま糊付けドラム５は回転し、糊付けドラム５の上方を移動する本身の背面にその背面の先端部所定の位置から糊ドラム５に付着した糊を塗布する。
【００１４】
ストッパ位置決め機構２２は、図２に拡大して示すように、回動軸９に固定したストッパアーム２３と、ストッパ移動ネジ２４の頭部に固定したストッパ２５と、ストッパ移動ネジ２４を回転駆動するステッピングモータ２６およびストッパ移動ネジ２４と螺合する、容器３の側壁固定した支持金具２８に固定したナット２７とにより構成されており、ステッピングモータ２６の回転駆動によりストッパ移動ネジ２４が回転し、ストッパ２５がストッパアーム２３に接近または離間する方向に移動する。なお、この実施例では、ストッパ移動ネジ２４はステッピングモータ２６の回転軸に直結されており、ストッパ移動ネジ２４の回転で、ステッピングモータ２６自体が直線移動するように構成されている。
【００１５】
いま、ステッピングモータ２６を回転してストッパ２５を、図３に示すようにワイパー６の先端が糊付けドラム５の表面に当接しているときには、ストッパ２５とストッパアーム２３と間に所定の空間を隔てた位置に位置決めする。その後、カムフォロア１２がカム１１の谷部１１ｂに当接するように回動軸９が回動し、ワイパー６の先端が糊付けドラム５の表面から乖離する方向に回動する。その回動に伴ってストッパアーム２３が揺動し、図４に示すようにストッパアーム２３がストッパ２５に当接する。この当接で回動軸９は停止する。この停止により回動軸９が回動した分ワイパー６の先端が糊付けドラム５の表面から乖離し、その状態は引きバネ２９で維持される。すなわちその乖離した分が糊付けドラム５の表面に付着した糊の厚みとなり、その厚みはストッパ２５の位置と相関する。すなわち、糊付けドラム５に付着する糊の厚みに応じて、その厚みを厚くする場合には、ステッピングモータ２６を回転してストッパ２５をストッパアーム２３から遠ざけた位置に位置決めし、その厚みを薄くする場合には、ステッピングモータ２６を回転してストッパ２５をストッパアーム２３に近づけた位置に位置決めすればよい。
【００１６】
この実施例では、ストッパ２５の位置を検出するために、ストッパ移動ネジ２４の端部に検出板３０を取付け、この検出板３０と対向して位置検出器３１を支持金具２８に取付ける。そして、検出板３０の位置を糊付けドラム５の表面位置とし、その位置から必要とする糊付けドラム５に付着する糊の厚み分、ステッピングモータ２６を回転してストッパ２５および検出板３０をストッパアーム２３から遠ざけた位置に位置決めする。位置検出器３１は、その位置決めした検出板３０を検出して出力する。その出力は糊付けドラム５に付着する糊の厚み、すなわちワイパー６の糊付けドラム５の表面からの位置を検出することとなる。
【００１７】
図５は、この実施例におけるストッパ２５の位置決め装置のブロック図である。図５において、３２は設定値メモリである。設定値メモリ３２には、適切な厚みの糊が本身の背面に塗着されたときの糊付けドラムに付着する糊の厚みを、本身の厚みに対応させてドラムに付着する糊の厚みの設定値として格納する。そして、製本に際し、操作部３３を操作して設定値メモリの内容を表示部３４で表示させ、製本する本身の厚みに対応した設定値を選択し、選択した設定値を演算部３５に送る。演算部３５は、その設定値と位置検出部３１から送られたストッパ２５の位置検出値とを比較し、その偏差分に相当するパルス信号をモータ駆動部に送り、モータ２６をその偏差がゼロとなるように回転させる。この回転により、ストッパ２５は設定値の位置に位置決めされる。これにより糊付けドラム５に付着する糊の厚みは、その本身の背面に塗着する適切な厚みに対応したものとなる。
【００１８】
なお、以上の実施例では、ストッパの位置を検出する位置検出器を設けているが、この位置検出器はストッパの移動をステッピングモータで行う場合には必ずしも必要とするものではない。この場合、たとえばストッパの原点位置を決め、その原点からステッピングモータが回転するステップ数を設定することにより行うことができる。また、ストッパの位置を検出する位置検出器は、本身の背面に適切な厚みの糊が塗着されたときの糊付けドラムの表面に付着した糊の厚みを取得するために利用できる。
【符号の説明】
【００１９】
１  製本する本身
２  クランパ
３  糊容器
４  糊
５  糊付けドラム
６  ワイパー
９  回動軸
１０  レバー
１１  カム
１２  カムフォロア
２１  カム機構
２２  ストッパ位置決め機構
２３  ストッパアーム
２４  ストッパ移動ネジ
２５  ストッパ
２６  ステッピングモータ
２７  ナット
３０  位置検出板
３１  位置検出器
３２  設定値メモリ
３５  演算部
３６  モータ駆動部
【図１】
2010284805.tif 000003
【図２】
2010284805.tif 000004
【図３】
2010284805.tif 000005
【図４】
2010284805.tif 000006
【図５】
2010284805.tif 000007
【図６】
2010284805.tif 000008